(57)【要約】【課題】  磁気記録装置の内部の温度及び湿度が変化しても磁気ヘッドの摩耗量を一定に維持することができる磁気記録装置を提供する。【解決手段】  磁気テープＴに摺接する円筒形状の回転ドラム１４と、回転ドラム１４の周面から突出するように取り付けられた磁気ヘッド２１と、装置の内部の温度を検出する温度センサ１６と、装置の内部の湿度を検出する湿度センサ１７と、磁気ヘッド２１が回転ドラム１４の周面から突出する量を変更するヘッド突出量コントロール部１９と、磁気テープＴのテンションを調整するテンションコントロール部１８とを備え、温度センサ１６によって検出された温度と湿度センサ１７によって検出された湿度に基づいて、ヘッド突出量コントロール部１９とテンションコントロール部１８とのうち少なくとも一方を制御する制御部３１が設けられている。【選択図】  図１
2005302219.tif 000002
【特許請求の範囲】
【請求項１】
走行する磁気テープに磁気記録・再生を行う磁気記録装置であって、
前記磁気テープに摺接する円筒形状の回転ドラムと、
前記回転ドラムの周面から突出するように取り付けられた磁気ヘッドと、
装置の内部の温度を検出する温度センサと、
装置の内部の湿度を検出する湿度センサと、
前記磁気ヘッドが前記回転ドラムの周面から突出する量を変更するヘッド突出量コントロール部と、
前記磁気テープのテンションを調整するテンションコントロール部とを備え、
前記温度センサによって検出された温度と前記湿度センサによって検出された湿度に基づいて、前記ヘッド突出量コントロール部と前記テンションコントロール部とのうち少なくとも一方を制御する制御部が設けられていることを特徴とする磁気記録装置。
【発明の詳細な説明】
【技術分野】
【０００１】
本発明は、磁気記録装置に関し、特に、磁気ヘッドの摩耗量を調整することができる磁気記録装置に関する。
【背景技術】
【０００２】
従来、ビデオテープレコーダ（ＶＴＲ）、デジタルオーディオテープレコーダ（Ｒ−ＤＡＴ）等の磁気記録及び磁気再生を行う磁気記録装置（以下、単に装置ともいう。）には、周面に磁気ヘッドが取り付けられた回転ドラムを回転させ、該磁気ヘッドによって走行する磁気テープへ情報を書き込み、また、磁気テープから情報を読み込む、所謂、ヘリカルスキャン方式のものがある。
【０００３】
ヘリカルスキャン方式の磁気記録装置において、装置の内部の温度変化により磁気テープの剛性が変化し、磁気ヘッドと磁気テープとの接触状態（接触圧力）が変化することが知られている。磁気テープの剛性と接触圧力とは略比例しており、温度変化により磁気テープの剛性が大きくなると、磁気ヘッドの摩耗量が増加し、磁気ヘッドの寿命が短くなることがある。そこで、従来、下記特許文献１のように、装置の内部の温度変化に対して回転ドラムの周面から突出する磁気ヘッドの突出量を可変する装置を設けることで磁気ヘッドの摩耗量を変化させない構造を有する磁気記録装置がある。
【０００４】
【特許文献１】特開平７−１４１７２２号公報
【発明の開示】
【発明が解決しようとする課題】
【０００５】
しかし、磁気記録装置において、磁気ヘッドの摩耗量は、装置の内部の温度変化だけでなく、湿度変化によっても大きく変化することがわかっている。具体的には、装置の内部の湿度が低くなった場合には、磁気ヘッドの摩耗量が低下する一方、装置の内部の湿度が高くなった場合には、磁気ヘッドの摩耗量が増加することがわかった。
【０００６】
上記従来の磁気記録装置では、装置の内部の温度変化した際に磁気ヘッドの摩耗量の制御は可能だが、装置の内部の湿度変化した際に磁気ヘッドの摩耗量の制御は不可能であった。
【０００７】
本発明は、上記事情に鑑みてなされたもので、その目的は、磁気記録装置の内部の温度及び湿度が変化しても磁気ヘッドの摩耗量を一定に維持することができる磁気記録装置を提供することにある。
【課題を解決するための手段】
【０００８】
本発明の上記目的は、走行する磁気テープに磁気記録・再生を行う磁気記録装置であって、磁気テープに摺接する円筒形状の回転ドラムと、回転ドラムの周面から突出するように取り付けられた磁気ヘッドと、装置の内部の温度を検出する温度センサと、装置の内部の湿度を検出する湿度センサと、磁気ヘッドが回転ドラムの周面から突出する量を変更するヘッド突出量コントロール部と、磁気テープのテンションを調整するテンションコントロール部とを備え、温度センサによって検出された温度と湿度センサによって検出された湿度に基づいて、ヘッド突出量コントロール部とテンションコントロール部とのうち少なくとも一方を制御する制御部が設けられていることを特徴とする磁気記録装置によって達成される。
【０００９】
上記磁気記録装置は、装置の内部の温度と湿度に応じて制御部がヘッド突出量コントロール部とテンションコントロール部とのうち少なくとも一方を制御するため、使用環境によって温度及び湿度が変化しても磁気ヘッドに対する磁気テープの接触圧力を一定に保つことができ、磁気ヘッドの摩耗量が変化することを防止することができる。また、磁気ヘッドの摩耗量の変化を防止することで、磁気ヘッドの寿命を一定に維持することができる。さらに、磁気ヘッドの摩耗量の低下に起因して磁気ヘッドに付着物が発生するのを防ぎ、安定した出力とエラーレートを確保することができる。
【発明の効果】
【００１０】
本発明によれば、磁気記録装置の内部の温度及び湿度が変化しても磁気ヘッドの摩耗量を一定に維持することができる磁気記録装置を提供できる。
【発明を実施するための最良の形態】
【００１１】
以下、本発明の実施形態を図面に基づいて詳しく説明する。
図１は、本発明に係る磁気記録装置の一実施形態を示す構成図である。図２は、図１においてＸで示す部位の拡大図である。図３は、磁気記録装置の制御系を示すブロック図である。
磁気記録装置１０は、筐体１１を有している。筐体１１の内部には、円筒形状を有し、周方向に回転可能に支持された回転ドラム１４が設けられている。
【００１２】
回転ドラム１４の周面には複数の磁気ヘッド２１が取り付けられている。磁気ヘッド２１は、回転ドラム１４の周面から僅かに突出するように保持されている。
【００１３】
磁気記録装置１０において、一対のテープリール１２，１３のうち送り側のテープリール１２から送り出された磁気テープＴを、複数のテープガイド１５で案内しつつ走行させ、走行する磁気テープＴに回転ドラム１４の周面を摺接させ、さらに、複数のテープガイド１５を介して、巻き取り側のテープリール１３で巻き取る構成である。
【００１４】
磁気記録装置１０は、回転ドラム１４を回転駆動することで走行する磁気テープＴに摺接させ、該回転ドラム１４の周面に設けられた磁気ヘッド２１によって、磁気テープＴに磁気情報を書き込む磁気記録と磁気テープＴに書き込まれた磁気情報を読み出す磁気再生を行う、ヘリカルスキャン方式である。
【００１５】
筐体１１の内部には、温度を検出して制御部３１に出力可能な温度センサ１６と、湿度を検出して制御部３１に出力可能な湿度センサ１７とが設けられている。温度センサ１６と湿度センサ１７は、磁気記録装置の内部であればどこの位置に設けてもよいが、回転ドラム１４の磁気ヘッド２１と磁気テープＴとが摺接する部位のできるだけ近くに設けることが好ましい。
【００１６】
磁気記録装置１０の磁気テープＴの走行系において、磁気テープＴのテンションを調整するテンションコントローラ部１８が設けられている。テンションコントローラ部１８は、磁気テープＴと摺接又は近接するように配置され、図示しないアクチュエータを駆動することでばね等の付勢手段によって磁気テープＴを押圧したり、または、磁気テープＴから離間したりすることによって該磁気テープのテンションを調整する構成である。
【００１７】
通常、磁気記録装置１０の内部の気温が低くなると、磁気テープＴのテンションが大きくなり、磁気記録装置１０の内部の気温が高くなると、磁気テープＴのテンションが小さくなる。本実施形態では、温度に基づいて、テンションコントローラ部１８を制御し、磁気テープＴのテンションを調整し、磁気テープＴと磁気ヘッド２１との接触圧力を調整することができる。
【００１８】
磁気記録装置１０は、図２に示すにように、磁気ヘッド２１が回転ドラム１４の周面から突出する量を変更するヘッド突出量コントロール部１９を備えている。ヘッド突出量コントロール部１９は、磁気ヘッド２１の突出する側に対して反対側に取り付けられた圧電素子２２と、圧電素子２２と電気的に接続された電圧供給部２３とを有している。磁気ヘッド２１の突出量を調整する際には、制御部３１からの信号に応じて電圧供給部２３が圧電素子２２に電圧を印加して該圧電素子２２を変位させることで、磁気ヘッド２１の突出量を調整する。例えば、磁気記録装置１０の内部の温度が低くなると、磁気テープＴの剛性が大きくなるので、ヘッド突出量コントロール部１９によって磁気ヘッド２１の突出量を小さくなるように調整する。一方で、磁気記録装置１０の温度が高くなると、磁気テープＴの剛性が小さくなるので、ヘッド突出量コントロール部１９によって磁気ヘッド２１の突出量を大きくなるように調整する。このように、ヘッド突出量コントロール部１９によって磁気ヘッド２１の突出量を調整することで、磁気テープＴと磁気ヘッド２１との接触圧力を調整することができる。
【００１９】
図３に示すように、本実施形態の磁気記録装置１０において、制御部３１には温度センサ１６及び湿度センサ１７が電気的に接続され、また、テンションコントローラ１８及びヘッド突出量コントロール部１９は、制御部３１から出力された制御信号が入力できるように、該制御部３１に電気的に接続されている。こうして、制御部３１は、温度センサ１６によって検出された温度と、湿度センサ１７によって検出された湿度に基づいて、ヘッド突出量コントロール部１８とテンションコントロール部１９を制御する。
【００２０】
制御部３１は、磁気テープＴと磁気ヘッド２１との接触圧力を調整するため、ヘッド突出量コントロール部１８とテンションコントロール部１９との両方を制御することができ、また、ヘッド突出量コントロール部１８とテンションコントロール部１９とのうち一方のみを制御することとしてもよい。
【００２１】
磁気記録装置１０は、装置の内部の温度と湿度に応じて制御部３１がヘッド突出量コントロール部１９とテンションコントロール部１８とのうち少なくとも一方を制御するため、使用環境によって温度及び湿度が変化しても磁気ヘッド２１に対する磁気テープＴの接触圧力を一定に保つことができ、磁気ヘッド２１の摩耗量が変化することを防止することができる。また、磁気ヘッド２１の摩耗量の変化を防止することで、磁気ヘッド２１の寿命を一定に維持することができる。さらに、磁気ヘッド２１の摩耗量の低下に起因して磁気ヘッド２１に付着物が発生するのを防ぎ、安定した出力とエラーレートを確保することができる。
【図面の簡単な説明】
【００２２】
【図１】本発明に係る磁気記録装置の一実施形態を示す構成図である。
【図２】図１においてＸで示す部位の拡大図である。
【図３】磁気記録装置の制御系を示すブロック図である。
【符号の説明】
【００２３】
１０    磁気記録装置
１４    回転ドラム
１６    温度センサ
１７    湿度センサ
１８    テンションコントロール部
１９    ヘッド突出量コントロール部
２１    磁気ヘッド
３１    制御部
【図１】
2005302219.tif 000003
【図２】
2005302219.tif 000004
【図３】
2005302219.tif 000005